(57)【要約】【課題】電力線通信による制御が可能であり電力線通信に関係する部品の組み込みが容易な照明機器を提供する。【解決手段】ＬＥＤ照明機器２００は、電力線通信によって伝送される制御信号を受信する送受信部２７と、電力伝送線ＬＮから制御信号を抽出して送受信部２７に送出するＡＣ重畳部２６と、送受信部２７に電力を供給するＤＣ／ＤＣコンバータ２８とを備える。ＡＣ重畳部２６、送受信部２７、及びＤＣ／ＤＣコンバータ２８が同一の基板に実装される。【選択図】図３
2017092012.tif 000002
【特許請求の範囲】
【請求項１】
発光部と、
第１電力変換部と、
第２電力変換部と、
電力線通信によって伝送される制御信号を受信する受信部と、
前記制御信号が重畳され得る電力を伝送する電力伝送線と、
前記受信部と前記電力伝送線との間に設けられ前記電力伝送線から前記制御信号を抽出して前記受信部に送出する抽出部と、を備え、
第１電力変換部は、前記電力伝送線によって伝送された電力を変換して第２電力変換部及び前記発光部に供給し、
第２電力変換部は、第１電力変換部の出力電力を変換して前記受信部に供給し、
前記発光部の調光、調色、点灯、及び消灯の少なくとも１つが、前記受信部によって受信された前記制御信号に基づいて制御され、
第２電力変換部、前記受信部、及び前記抽出部が同一の基板に実装されることを特徴とする照明機器。
【請求項２】
前記基板は略長方形の形状であって、
前記基板は前記略長方形の短辺に沿った第１仮想線で二分割することで第１領域及び第２領域に区分され、第２領域は前記略長方形の長辺に沿った第２仮想線で二分割することで第３領域及び第４領域に区分され、
第１領域に前記抽出部が実装され、第３領域に第２電力変換部が実装され、第４領域に前記受信部が実装される請求項１に記載の照明機器。
【請求項３】
前記発光部が発光素子と前記発光素子を駆動する駆動部とを含み、
第１電力変換部及び前記駆動部が実装される主基板を備え、
前記主基板の主面に垂直な方向から視て前記主基板と前記基板とが重なっていない請求項１または請求項２に記載の照明機器。
【請求項４】
前記発光部が発光素子と前記発光素子を駆動する駆動部とを含み、
第１電力変換部及び前記駆動部が実装される主基板を備え、
前記主基板の主面に垂直な方向から視て前記主基板の中に前記基板が収まっている請求項１または請求項２に記載の照明機器。
【請求項５】
前記受信部は、前記制御信号に基づいてパルス幅変調信号を生成し、前記パルス幅変調信号を前記駆動部に送出する請求項３または請求項４に記載の照明装置。
【請求項６】
前記受信部は、前記制御信号に基づいてシリアル信号を生成し、前記シリアル信号を前記駆動部に送出する請求項３〜５のいずれか一項に記載の照明装置。
【請求項７】
制御信号を電力線によって伝送される電力に重畳させる送信部と、
前記制御信号に基づいて調光、調色、点灯、及び消灯の少なくとも１つが制御される請求項１〜６のいずれか一項に記載の照明機器と、を備えることを特徴とする照明システム。
【請求項８】
前記電力線から供給される商用電力を直流電力に変換するＡＣアダプタを備え、
前記ＡＣアダプタが前記送信部を内蔵し、
前記ＡＣアダプタから出力される前記直流電力が電源電力である信号処理装置から前記送信部に前記制御信号が供給される請求項７に記載の照明システム。
【請求項９】
制御信号を電力線によって伝送される電力に重畳させる送信部と、
前記制御信号に基づいて調光、調色、点灯、及び消灯の少なくとも１つが制御される第１照明機器と、
前記電力線から供給される商用電力を直流電力に変換するＡＣアダプタと、
前記ＡＣアダプタから出力される前記直流電力が電源電力である信号処理装置と、
前記信号処理装置から送信される無線制御信号に基づいて調光、調色、点灯、及び消灯の少なくとも１つが制御される第２照明機器と、を備え、
前記ＡＣアダプタが前記送信部を内蔵し、
前記信号処理装置から前記送信部に前記制御信号が供給されることを特徴とする統合型照明システム。
【発明の詳細な説明】
【技術分野】
【０００１】
本発明は電力線通信による制御が可能な照明機器及びそれを備える照明システムに関する。
【背景技術】
【０００２】
電力線通信は、既設の電力線を利用することによって配線工事または室内でのケーブル配置が不要になるため、導入が容易であるという利点を有している。また、電力線通信は、有線通信であるため、無線通信が不得手とする環境下でも安定した通信が可能であるという利点を有している。
【０００３】
上記の利点を有する電力線通信のアプリケーション例として、電力線通信による制御が可能な照明機器がある（例えば特許文献１参照）。
【先行技術文献】
【特許文献】
【０００４】
【特許文献１】特開２０１３−２３９３５４号公報（段落００３１〜００３６）
【発明の概要】
【発明が解決しようとする課題】
【０００５】
特許文献１は、受電及び調光信号受信手段として機能する電力線受信機を内蔵するＬＥＤランプ（電力線通信による制御が可能な照明機器）を開示している。しかしながら、特許文献１では電力線受信機の組み込みを容易するための構造は検討されていない。
【０００６】
また、特許文献１は、電力線通信による制御が可能な照明機器を備える照明システムと、無線通信による制御が可能な照明機器を備える照明システムとの統合については検討されていない。
【０００７】
本発明は、上記の状況に鑑み、電力線通信による制御が可能であり電力線通信に関係する部品の組み込みが容易な照明機器およびそれを備える照明システムを提供することを第１の目的とする。
【０００８】
また本発明は、上記の状況に鑑み、無線通信による制御が可能な照明機器を備える照明システムに、電力線通信による制御が可能な照明機器を備える照明システムを後付けで追加することができる照明システム（統合型照明システム）を提供することを第２の目的とする。
【課題を解決するための手段】
【０００９】
上記第１の目的を達成するために、本発明に係る照明機器は、発光部と、第１電力変換部と、第２電力変換部と、電力線通信によって伝送される制御信号を受信する受信部と、前記制御信号が重畳され得る電力を伝送する電力伝送線と、前記受信部と前記電力伝送線との間に設けられ前記電力伝送線から前記制御信号を抽出して前記受信部に送出する抽出部と、を備え、第１電力変換部は、前記電力伝送線によって伝送された電力を変換して第２電力変換部及び前記発光部に供給し、第２電力変換部は、第１電力変換部の出力電力を変換して前記受信部に供給し、前記発光部の調光、調色、点灯、及び消灯の少なくとも１つが、前記受信部によって受信された前記制御信号に基づいて制御され、第２電力変換部、前記受信部、及び前記抽出部が同一の基板に実装される構成（第１の構成）とする。
【００１０】
上記第１の構成である照明機器において、前記基板は略長方形の形状であって、前記基板は前記略長方形の短辺に沿った第１仮想線で二分割することで第１領域及び第２領域に区分され、第２領域は前記略長方形の長辺に沿った第２仮想線で二分割することで第３領域及び第４領域に区分され、第１領域に前記抽出部が実装され、第３領域に第２電力変換部が実装され、第４領域に前記受信部が実装される構成（第２の構成）にしても良い。
【００１１】
上記第１又は第２の構成である照明機器において、前記発光部が発光素子と前記発光素子を駆動する駆動部とを含み、第１電力変換部及び前記駆動部が実装される主基板を備え、前記主基板の主面に垂直な方向から視て前記主基板と前記基板とが重なっていない構成（第３の構成）にしても良い。
【００１２】
上記第１又は第２の構成である照明機器において、前記発光部が発光素子と前記発光素子を駆動する駆動部とを含み、第１電力変換部及び前記駆動部が実装される主基板を備え、前記主基板の主面に垂直な方向から視て前記主基板の中に前記基板が収まっている構成（第４の構成）にしても良い。
【００１３】
上記第３又は第４の構成である照明機器において、前記受信部は、前記制御信号に基づいてパルス幅変調信号を生成し、前記パルス幅変調信号を前記駆動部に送出する構成（第５の構成）にしても良い。
【００１４】
上記第２〜第５いずれかの構成である照明機器において、前記受信部は、前記制御信号に基づいてシリアル信号を生成し、前記シリアル信号を前記駆動部に送出する構成（第６の構成）にしても良い。
【００１５】
上記第１の目的を達成するために、本発明に係る照明システムは、制御信号を電力線によって伝送される電力に重畳させる送信部と、前記制御信号に基づいて調光、調色、点灯、及び消灯の少なくとも１つが制御される上記第１〜第６いずれかの構成である照明機器と、を備える構成（第７の構成）とする。
【００１６】
上記第７の構成である照明システムにおいて、前記電力線から供給される商用電力を直流電力に変換するＡＣアダプタを備え、前記ＡＣアダプタが前記送信部を内蔵し、前記ＡＣアダプタから出力される前記直流電力が電源電力である信号処理装置から前記送信部に前記制御信号が供給される構成（第８の構成）にしても良い。
【００１７】
上記第２の目的を達成するために、本発明に係る統合型照明システムは、制御信号を電力線によって伝送される電力に重畳させる送信部と、前記制御信号に基づいて調光、調色、点灯、及び消灯の少なくとも１つが制御される第１照明機器と、前記電力線から供給される商用電力を直流電力に変換するＡＣアダプタと、前記ＡＣアダプタから出力される前記直流電力が電源電力である信号処理装置と、前記信号処理装置から送信される無線制御信号に基づいて調光、調色、点灯、及び消灯の少なくとも１つが制御される第２照明機器と、を備え、前記ＡＣアダプタが前記送信部を内蔵し、前記信号処理装置から前記送信部に前記制御信号が供給される構成（第９の構成）とする。
【発明の効果】
【００１８】
本発明に係る照明機器およびそれを備える照明システムによれば、電力線通信に関係する部品の照明機器への組み込みが容易である。これにより、製造コストの低減を図ることができる。
【００１９】
本発明に係る統合型照明システムによれば、無線通信による制御が可能な照明機器を備える照明システムに、電力線通信による制御が可能な照明機器を備える照明システムを後付けで追加することができる。これにより、無線通信による制御が可能な照明機器を備える既存の照明システムを有効活用して統合型照明システムを構築することができる。
【図面の簡単な説明】
【００２０】
【図１】第１実施形態に係る照明システムの概略構成図
【図２】送受信機器の構成例を示す図
【図３】ＬＥＤ照明機器の構成例を示す図
【図４】送受信部の構成例を示す図
【図５Ａ】ＬＥＤシーリングライトの基板（ＬＥＤ基板を除く）配置例を示す平面図
【図５Ｂ】ＬＥＤシーリングライトの基板配置例を示す断面図
【図５Ｃ】ＬＥＤシーリングライトのＬＥＤ基板配置例を示す平面図
【図６】ＬＥＤシーリングライトの他の基板ＬＥＤ基板を除く配置例を示す平面図
【図７】第２実施形態に係る統合型照明システムの概略構成図
【図８】第１実施形態に係る照明システムの変形例を示す図
【発明を実施するための形態】
【００２１】
＜第１実施形態＞
図１は照明システムの概略構成図である。図１に示す照明システムは、送受信機器１００と、ＬＥＤ照明機器２００とを備えている。図１ではＬＥＤ照明機器２００を複数図示しているが、ＬＥＤ照明機器２００は単数であっても良い。
【００２２】
送受信機器１００は、広帯域電力線通信（ブロードバンドＰＬＣ）を行うマスター機器である。ＬＥＤ照明機器２００は、広帯域電力線通信を行うスレーブ機器である。送受信機器１００とＬＥＤ照明機器２００とは、家屋内または施設内に設けられている電力線３００を介して接続される。電力線３００は商用交流電力を伝送する電力線である。
【００２３】
送受信機器１００とルーター４００とは、ＬＡＮケーブル５００を介して接続される。ＡＣアダプタ６００は、電力線３００によって伝送される商用交流電力を入力し、商用交流電力を所定の電圧値（例えば１２Ｖ）の直流電力に変換して出力する。ＡＣアダプタ６００の出力電力はルーター４００に供給され、ルーター４００の電源電力となる。ルーター４００は、タブレット端末、スマートフォン、ノート型ＰＣなどの情報機器７００と無線ＬＡＮ通信を行う。なお、ルーター４００は、デスクトップ型ＰＣ、ＴＶなどの情報機器と有線ＬＡＮ通信を行う機能を有しても良い。
【００２４】
情報機器７００は、ＬＥＤ照明機器２００を制御するための照明制御アプリケーションソフトウェアがインストールされている。ユーザーは、照明制御アプリケーションソフトウェアを利用して情報機器７００を操作するだけで、ＬＥＤ照明機器２００を所望の状態にすることができる。
【００２５】
上記の照明制御アプリケーションソフトウェアは、ＬＥＤ照明機器２００各々の調光、点灯、及び消灯を指示する機能を有する。また、上記の照明制御アプリケーションソフトウェアは、複数のＬＥＤ照明機器２００をグループ化し、グループ単位での調光、点灯、及び消灯を指示する機能を有する。また、上記の照明制御アプリケーションソフトウェアは、シーン（例えば、目覚めのシーン、読書のシーン、映画鑑賞のシーンなど）毎にＬＥＤ照明機器２００の調光、点灯、及び消灯を登録することができ、登録したシーンに応じた調光、点灯、及び消灯を指示する機能を有する。さらに、上記の照明制御アプリケーションソフトウェアは、時刻に応じたＬＥＤ照明機器２００の調光、点灯、及び消灯をタイムススケジュールとして登録することができ、登録したタイムススケジュールに応じた調光、点灯、及び消灯を指示する機能を有する。
【００２６】
上記の照明制御アプリケーションソフトウェアによる指示の内容を示す制御信号は、ＴＣＰ／ＩＰに則った通信によって、情報機器７００からルーター４００及び送受信機器１００を経由してＬＥＤ照明機器２００に送信される。すなわち、制御信号は、情報機器７００からルーター４００に無線ＬＡＮ通信によって送信され、ルーター４００から送受信機器１００に有線ＬＡＮ通信によって送信され、送受信機器１００からＬＥＤ照明機器２００に電力線通信によって送信される。
【００２７】
図２は送受信機器１００の構成例を示す図である。図２に示す送受信機器１００は、有線ＬＡＮインターフェース１１と、送受信部１２とを備えている。本実施形態とは異なり、図２に示す送受信機器１００をＡＣアダプタ６００に内蔵してもよい。この場合、ＡＣアダプタ６００は請求項に記載されている「ＡＣアダプタ」の一例となる。送受信部１２は請求項に記載されている「送信部」の一例である。図２に示す送受信機器１００に接続されているルーター４００（図１参照）は請求項に記載されている「信号処理装置」の一例である。
【００２８】
有線ＬＡＮインターフェース１１は、ルーター４００からＬＡＮケーブル５００を経由して送られてくる制御信号を受信する。送受信部１２は、有線ＬＡＮインターフェース１１によって受信された制御信号を、電力線３００によって伝送される商用交流電力に重畳させる。
【００２９】
図３はＬＥＤ照明機器２００の構成例を示す図である。図３に示すＬＥＤ照明機器２００は、電力伝送線ＬＮと、インピーダンスアッパー２１と、ＡＣ／ＤＣコンバータ２２と、ＤＣ／ＤＣコンバータ２３と、ＬＥＤドライバ２４と、ＬＥＤ群２５と、ＡＣ重畳部２６と、送受信部２７と、ＤＣ／ＤＣコンバータ２８とを備えている。
【００３０】
ＡＣ／ＤＣコンバータ２２は請求項に記載されている「第１電力変換部」の一例である。ＬＥＤドライバ２４は請求項に記載されている「駆動部」の一例である。ＬＥＤ群２５は請求項に記載されている「発光素子」の一例である。ＡＣ重畳部２６は請求項に記載されている「抽出部」の一例である。送受信部２７は請求項に記載されている「受信部」の一例である。ＤＣ／ＤＣコンバータ２８は請求項に記載されている「第２電力変換部」の一例である。電力伝送線ＬＮは請求項に記載されている「電力伝送線」の一例である。また、ＤＣ／ＤＣコンバータ２３、ＬＥＤドライバ２４、及びＬＥＤ群２５は請求項に記載されている「発光部」の一例である。
【００３１】
電力伝送線ＬＮは電力線３００に接続され、電力線通信によって伝送される制御信号が重畳され得る商用交流電力を伝送する。
【００３２】
インピーダンスアッパー２１は、電力線通信によって伝送される制御信号の周波数に対してインピーダンスが大きい部品であって、電力線通信によって伝送される制御信号がＡＣ／ＤＣコンバータ２２に流入することを抑制する。
【００３３】
ＡＣ／ＤＣコンバータ２２は、商用交流電力を所定の電圧値（例えば１２Ｖ）の直流電力に変換してＤＣ／ＤＣコンバータ２３及び２８に出力する。ＤＣ／ＤＣコンバータ２３は、ＡＣ／ＤＣコンバータ２２の出力電圧を電圧値の異なる直流電力に変換してＬＥＤドライバ２４に出力する。ＬＥＤドライバ２４は、送受信部２７から出力されるＬＥＤ制御信号に基づいてＬＥＤ群２５を駆動する。ＬＥＤ群２５は複数のＬＥＤを有する。例えば、ＬＥＤ群２５の構成として、複数のＬＥＤを直列接続した直列接続体を複数備える構成を採用し、ＬＥＤドライバ２４がＬＥＤ群２５の直列接続体それぞれを独立して駆動できるようにすれば、ＬＥＤ群２５の輝度分布を制御することができる。
【００３４】
ＡＣ重畳部２６は、電力伝送線ＬＮから制御信号を抽出して送受信部２７に送出する。なお、ＡＣ重畳部２６は、送受信部２７から出力される電力線通信信号を電力伝送線ＬＮによって伝送される商用交流電力に重畳することもできる。ＡＣ重畳部２６の構成部品としては、例えばカップリングトランス及びコンデンサを挙げることができる。
【００３５】
送受信部２７は、ＡＣ重畳部２６から送られてくる制御信号を広帯域電力線通信の通信プロトコルに則ってＯＦＤＭ復調し、ＯＦＤＭ復調して得られるデータに基づいてＬＥＤ制御信号を生成し、ＬＥＤ制御信号をＬＥＤドライバ２４に出力する。ＤＣ／ＤＣコンバータ２８は、ＡＣ／ＤＣコンバータ２２の出力電圧を電圧値の異なる複数の直流電力（例えば、１０．５Ｖの直流電力、３．３Ｖの直流電力、１．５Ｖの直流電力）に変換して送受信部２７に出力する。ＤＣ／ＤＣコンバータ２８の各出力電力は送受信部２７の電源電力として用いられる。
【００３６】
本実施形態では、ＡＣ重畳部２６、送受信部２７、及びＤＣ／ＤＣコンバータ２８が同一の基板に実装される。これにより、広帯域電力線通信に関係する部品がモジュール化されるので、広帯域電力線通信に関係する部品をＬＥＤ照明機器に組み込むことが容易になる。
【００３７】
図４は送受信部２７の構成例を示す図である。図４に示す送受信部２７は、アッテネータ２７１と、フィルタ２７２と、制御部２７３と、不揮発性メモリ２７４と、発振子２７５と、ラインドライバ２７６とを備えている。
【００３８】
ＡＣ重畳部２６から送られてくる制御信号は、アッテネータ２７１によって減衰され、フィルタ２７２によってノイズが除去された後に、制御部２７３に到達する。
【００３９】
制御部２７３は、発振子２７５の発振信号を基準にして動作し、不揮発性メモリ２７４に記憶されているプログラム及びデータを用いて、電力線通信を実行する。制御部２７３は、ＡＣ重畳部２６からアッテネータ２７１及びフィルタ２７２を経由して送られてくる制御信号に基づいてＬＥＤ制御信号を作成する。
【００４０】
例えば、ＡＣ重畳部２６からアッテネータ２７１及びフィルタ２７２を経由して送られてくる制御信号が調光を制御するためのデューティを示す信号であれば、制御部２７３は、そのデューティに対応するパルス幅変調信号（ＰＷＭ信号）を生成し、そのパルス幅変調信号をＬＥＤ制御信号としてＬＥＤドライバ２４に出力する。すなわち、制御部２７３は、ＰＷＭ信号生成部（不図示）を備えている。
【００４１】
例えば、ＡＣ重畳部２６からアッテネータ２７１及びフィルタ２７２を経由して送られてくる制御信号が点灯または消灯を指示するための制御信号であれば、制御部２７３は、その制御信号に対応するシリアル信号を生成し、そのシリアル信号をＬＥＤ制御信号としてＬＥＤドライバ２４に出力する。制御部２７３からＬＥＤドライバ２４へのシリアル信号の送信は例えばＵＡＲＴ（Universal Asynchronous Receiver Transmitter）通信を用いることができる。
【００４２】
制御部２７３は、ラインドライバ２７６を経由してＡＣ重畳部２６に電力線通信信号を送ることもできる。ラインドライバ２７６は、制御部２７３から送られてくる電力線通信信号を電圧増幅してＡＣ重畳部２６に送る。
【００４３】
また、制御部２７３は、広帯域電力線通信に対応しているＬＳＩであり、送受信機器１００から送信されるビーコンに基づく間欠動作が可能である。これにより、送受信部２７の超低消費電力化を図ることができる。
【００４４】
図５Ａは、ＬＥＤシーリングライトの基板（ＬＥＤ基板を除く）配置例を示す図である。図５Ｂは、ＬＥＤシーリングライトの基板配置例を示す断面図である。図５Ｂは、図５Ａに示すＡ−Ａ線で切った断面図であり、断面よりも奥側に存在する構造物の図示は省略している。さらに、図５Ｂでは、図５Ａに示していないシャーシカバー２９とＬＥＤ基板Ｓ４とを細線で図示している。図５Ｃは、ＬＥＤシーリングライトのＬＥＤ基板配置例を示す平面図である。なお、以下の説明では図５Ａ〜図５Ｃを纏めて図５を呼ぶことがある。
【００４５】
図５に示すＬＥＤシーリングライトはＬＥＤ照明機器２００の一例である。図５Ａは、ＬＥＤシーリングライトの樹脂カバー及びシャーシカバー２９を外した状態を示す模式図である。シャーシカバー２９はシャーシ２８の外周側カラーＣ１及び内周側カラーＣ２に形成されているビス穴を用いてシャーシ２８に固定される。
【００４６】
図５Ｂに示すように、シャーシ２８は、円環状のベース２８Ａと、ベース２８Ａの内周ＩＣよりも幅Ｗ１だけ外周にオフセットされた位置から立ち上がる筒状の側壁２８Ｂと、ベース２８Ａの外周から立ち上がる筒状の側壁２８Ｃと、側壁２８Ｃの終端に繋がる外周側カラーＣ１と、側壁２８Ｂの側壁終端に繋がる内周側カラーＣ２とを有している。上述した幅Ｗ１は、例えば内周側カラーＣ２の幅Ｗ２の２倍〜３倍程度に設定される。また、図５では図示していないが、図５に示すＬＥＤシーリングライトは、ＬＥＤ基板Ｓ４を覆うように設けられる半透明の樹脂カバーを備えている。図５に示すＬＥＤシーリングライトは、家屋内または施設内に設置された状態では、シャーシ２８のベース２８Ａ側が天井側となり、ＬＥＤ基板Ｓ４側が床面側となる。
【００４７】
図５Ｂに示すように、中継基板Ｓ２及び主基板Ｓ３は、シャーシ２８のベース２８Ａから所定の距離を空けた状態で、シャーシ２８に対して固定される。これにより、中継基板Ｓ２の２つの主面及び主基板Ｓ３の２つの主面に部品を実装したりリード線を接続したりすることが可能となり、部品レイアウトの自由度が高くなる。電力線通信モジュール基板Ｓ１は中継基板Ｓ２上に載置され、中継基板Ｓ２に対して固定される。
【００４８】
主基板Ｓ３の主面に垂直な方向から視て主基板Ｓ３と電力線通信モジュール基板Ｓ１とは重なっていない。電力線通信モジュール基板Ｓ１は略長方形の形状である。電力線通信モジュール基板Ｓ１は略長方形の短辺に沿った第１仮想線で二分割することで第１領域及び第２領域に区分され、第２領域は略長方形の長辺に沿った第２仮想線で二分割することで第３領域及び第４領域に区分される。第１領域はＡＣ重畳部２６が実装される領域Ｒ２６であり、第３領域はＤＣ／ＤＣコンバータ２８が実装される領域Ｒ２８であり、第４領域は送受信部２７が実装される領域Ｒ２７である。
【００４９】
なお、電力線通信モジュール基板Ｓ１では、ＡＣ重畳部２６の構成部品を両面基板実装にしている。これにより、電力線通信モジュール基板Ｓ１の小型化を図ることができ、電力線通信モジュール基板Ｓ１をＬＥＤ照明機器２００に組み込むことが非常に容易になる。また、ＡＣ重畳部２６が設けられる経路とインピーダンスアッパー２１が設けられる経路とに分岐する手前にはラインフィルタ用のコモンチョークコイル等が設置される。このラインフィルタ用のコモンチョークコイル等も電力線通信モジュール基板Ｓ１上に実装するようにすることで、ＬＥＤ照明機器２００の小型化を図ることでができる。
【００５０】
電力線通信モジュール基板Ｓ１と中継基板Ｓ２とは例えばバンプ（不図示）によって接続することができ、中継基板Ｓ２と主基板Ｓ３とは例えば図５Ａに示すようにリード線Ｌ３〜Ｌ８によって接続することができる。すなわち、中継基板Ｓ２は、電力線通信モジュール基板Ｓ１と主基板Ｓ３との電気的接続を中継する役割を果たしている。
【００５１】
リード線Ｌ１及びＬ２は、中継基板Ｓ２と主基板Ｓ３との接続には使用されていない。リード線Ｌ１及びＬ２の各一端は商用交流電力が供給されるコネクタＣＮ１に接続されており、リード線Ｌ１の他端はインピーダンスアッパー２１の一方の入力端となるコネクタＣＮ２に接続されており、リード線Ｌ２の他端はインピーダンスアッパー２１の他方の入力端となるコネクタＣＮ３に接続されている。コネクタＣＮ２及びＣＮ３は主基板の表面に実装されている。
【００５２】
リード線Ｌ３及びＬ４の各一端は中継基板Ｓ２の裏面（シャーシ２８のベース２８Ａを臨む面）に半田付けされ、リード線Ｌ３及びＬ４の各他端は主基板Ｓ３の裏面（シャーシ２８のベース２８Ａを臨む面）に半田付けされる。リード線Ｌ３及びＬ４によって、コネクタＣＮ２及びＣＮ３とＡＣ重畳部２６とが接続される。
【００５３】
リード線Ｌ５の一端は中継基板Ｓ２の表面に半田付けされ、リード線Ｌ５の他端は主基板Ｓ３の表面に半田付けされる。リード線Ｌ５の一端が半田付けされる位置は中継基板Ｓ２の長手方向の略中央であり、リード線Ｌ５の他端が半田付けされる位置は主基板Ｓ３の長手方向の略中央である。リード線Ｌ５によって、ＤＣ／ＤＣコンバータ２２の入力端とＡＣ／ＤＣコンバータ２８の入力端とが接続される。
【００５４】
リード線Ｌ６の一端は中継基板Ｓ２の表面に半田付けされ、リード線Ｌ６の他端は主基板Ｓ３の表面の領域Ｒ２４に実装されている立ち基板に半田付けされる。リード線Ｌ６によって、ＤＣ／ＤＣコンバータ２８と送受信部２７とが接続される。
【００５５】
リード線Ｌ７の一端は中継基板Ｓ２の表面に実装されているコネクタＣＮ４に接続され、リード線Ｌ８の一端は中継基板Ｓ２の表面に実装されているコネクタＣＮ５に接続され、リード線Ｌ７及びＬ８の各他端は主基板Ｓ３の表面に実装されているコネクタＣＮ６に接続されている。なお、図５Ａでは図が煩雑になることを防ぐためにリード線Ｌ７及びＬ８をそれぞれ一本ずつしか図示していないが、実際にはリード線Ｌ７は複数本存在し、リード線Ｌ８も複数本存在する。リード線Ｌ７及びＬ８によって、送受信部２７とＬＥＤドライバ２４とが接続される。
【００５６】
主基板Ｓ３は、インピーダンスアッパー２１と、ＡＣ／ＤＣコンバータ２２と、ＤＣ／ＤＣコンバータ２３と、ＬＥＤドライバ２４とを実装している。主基板Ｓ３の領域Ｒ２２にはＡＣ／ＤＣコンバータ２２が実装され、主基板Ｓ３の領域Ｒ２４にはＬＥＤドライバ２４が実装される。また、主基板Ｓ３の領域Ｒ２２には上述したコネクタＣＮ２及びＣＮ３も実装されている。また、主基板Ｓ３の領域Ｒ２４には上述したコネクタＣＮ６も実装されている。
【００５７】
電力線通信モジュール基板Ｓ１の領域Ｒ２７及びＲ２８は電力線通信モジュール基板Ｓ１の領域Ｒ２６よりも主基板Ｓ３の領域Ｒ２４に近い配置になっている。そして、電力線通信モジュール基板Ｓ１の領域Ｒ２７及びＲ２８と主基板Ｓ３の領域Ｒ２４とは、電力線通信モジュール基板Ｓ１の領域Ｒ２６が間に入ることなく向き合うように配置されている。このような配置により、商用交流電力を伝送するリード線Ｌ３及びＬ４を、商用交流電力を伝送しないリード線Ｌ５〜Ｌ８から十分に離すことが容易になる。商用交流電力を伝送するリード線Ｌ３及びＬ４を、商用交流電力を伝送しないリード線Ｌ５〜Ｌ８から十分に離すことにより、リード線Ｌ５〜Ｌ８を伝送する信号または直流電力が電力線３００に漏れ出すことを抑制することができる。また、電力線通信モジュール基板Ｓ１の領域Ｒ２６及びＲ２８と主基板Ｓ３の領域Ｒ２２とは、電力線通信モジュール基板Ｓ１の領域Ｒ２７が間に入ることなく向き合うように配置されている。これにより、電力線通信モジュール基板Ｓ１の領域Ｒ２７に実装される送受信部２７を、ＬＥＤ照明機器２００において最も大きな電力が伝送されるリード線Ｌ１及びＬ２から十分に離すことが容易になる。電力線通信モジュール基板Ｓ１の領域Ｒ２７に実装される送受信部２７を、ＬＥＤ照明機器２００において最も大きな電力が伝送されるリード線Ｌ１及びＬ２から十分に離すことにより、送受信部２７がリード線Ｌ１及びＬ２を伝送するノイズ及びリード線Ｌ１及びＬ２から輻射されるノイズの影響を受けにくくすることができる。
【００５８】
図５Ｃは、ＬＥＤシーリングライトの樹脂カバーを外した状態を示す模式図であり、図５Ａに示す状態にシャーシカバー２９を追加したものである。シャーシカバー２９のシャーシ２８に臨んでいない側の面上にＬＥＤ基板Ｓ４が固定される。そして、ＬＥＤ基板Ｓ４のシャーシカバー２９に臨んでいない側の面上にＬＥＤ群２５が実装される。ＬＥＤ群２５の配置は特に限定されないが、例えば図５Ｃに図示するように、内周側に正方形の各辺上に等間隔になるように複数のＬＥＤを配置し、外周側に円周上に等間隔になるように複数のＬＥＤを配置し、それらの間に円周上に等間隔になるように複数のＬＥＤを配置すればよい。ＬＥＤ群２５は、二系統に分けられており、系統毎に点灯、消灯、及び調光制御が可能である。ＬＥＤドライバ２４のアノード側出力は図５Ａに示すリード線Ｌ９により２分配され、主基板Ｓ３とＬＥＤ基板Ｓ４との間に設けられる２つの接続経路（例えばリード線など）を介してＬＥＤ群２５の各系統に接続される。また、ＬＥＤドライバ２４のカソード側出力は図５Ａに示すリード線Ｌ１０により２分配され、主基板Ｓ３とＬＥＤ基板Ｓ４との間に設けられる２つの接続経路（例えばリード線など）を介してＬＥＤ群２５の各系統に接続される。
【００５９】
なお、図６に示す基板配置とし、電力線通信モジュール基板Ｓ１を主基板Ｓ３上に載置され、主基板Ｓ３に対して固定してもよい。電力線通信モジュール基板Ｓ１と主基板Ｓ３とは例えばバンプ（不図示）によって接続することができる。このような基板配置によって、中継基板が不要になる。図６に示す基板配置では、主基板Ｓ３の主面に垂直な方向から視て主基板Ｓ３の中に電力線通信モジュール基板Ｓ１が収まっている。
【００６０】
＜第２実施形態＞
図７は統合型照明システムの概略構成図である。図７において図１と同一の部分には同一の符号を付し詳細な説明を省略する。
【００６１】
図７に示す統合型照明システムは、送受信機器１００と、ＬＥＤ照明機器２００と、ゲートウェイ４００’と、ＬＥＤ照明機器２００’と、を備えている。図７ではＬＥＤ照明機器２００を複数図示しているが、ＬＥＤ照明機器２００は単数であっても良い。また、図７ではＬＥＤ照明機器２００’を複数図示しているが、ＬＥＤ照明機器２００’は単数であっても良い。
【００６２】
ゲートウェイ４００’は、図１に示すルーター４００と同様の機能を有する。また、ゲートウェイ４００’は、国際標準規格ＩＳＯ／ＩＥＣ  １４５４３−３−１０である「ＥｎＯｃｅａｎ」に準拠した機器であり、センサ、スイッチ等から送信される「ＥｎＯｃｅａｎ」に準拠した無線信号もＬＥＤ照明機器２００及び２００’各々の調光、点灯、及び消灯を指示する制御信号として取り扱うことができる。
【００６３】
ゲートウェイ４００’は、特定小電力無線通信（例えば９２０ＭＨｚ帯の無線信号を用いる特定小電力無線通信）によってＬＥＤ照明機器２００’各々の調光、点灯、及び消灯を制御することができる。すなわち、ＬＥＤ照明機器２００’は、ゲートウェイ４００’から送信される特定小電力無線通信信号を受信し、特定小電力無線通信信号に基づくＬＥＤ制御信号を生成する受信部と、受信部によって生成されたＬＥＤ制御信号に基づいてＬＥＤを駆動するＬＥＤドライバとを備えている。
【００６４】
このような構成によると、図２に示す送受信機器１００を設け、ＬＥＤ照明機器２００を設置するだけで、無線通信による制御が可能なＬＥＤ照明機器を備える照明システム（ＬＥＤ照明機器２００’及びゲートウェイ４００’）に、電力線通信による制御が可能なＬＥＤ照明機器を備える照明システム（ＬＥＤ照明機器２００及び送受信機器１００）を後付けで追加することができる。これにより、無線通信による制御が可能な照明機器を備える既存の照明システムを有効活用して統合型照明システムを構築することができる。
【００６５】
統合型照明システムの利用形態としては、例えばビルディングにおいて、ＬＥＤ照明機器２００’、ゲートウェイ４００’、ＡＣアダプタ６００、及び送受信機器１００を１階に設置し、１階以外の階にはＬＥＤ照明機器２００を設置する形態を挙げることができる。本実施形態とは異なり、図２に示す送受信機器１００をＡＣアダプタ６００に内蔵してもよい。
【００６６】
＜その他の変形例＞
なお、本発明の構成は、上記実施形態のほか、発明の主旨を逸脱しない範囲で種々の変更を加えることが可能である。
【００６７】
上記実施形態では電力線３００が商用交流電力を伝送しているが、本発明はこれに限定されることはない。例えば、直流電力を伝送する電力線あるいは電力を消費する機器の専用電源電力となる専用交流電力を伝送する電力線であっても良い。
【００６８】
上記実施形態では照明機器の発光素子をＬＥＤとしたが、本発明はこれに限定されることはない。例えば、照明機器の発光素子を有機ＥＬ素子としても良い。
【００６９】
上記実施形態では電力線通信を広帯域電力線通信としたが、本発明はこれに限定されることはない。広帯域電力線通信以外の電力線通信を利用しても良い。
【００７０】
上記実施形態では電力線通信によって照明機器の調光、点灯、及び消灯が制御されているが、これらに加えて電力線通信によって照明機器の調色が制御されてもよい照明機器の調色制御は、例えば照明機器に色温度が異なる発光素子群を複数系統設け、複数の系統間の輝度バランスを制御することによって実現することができる。また、照明機器の調光、点灯、及び消灯の全てを制御する形態、照明機器の調光、調色、点灯、及び消灯の全てを制御する形態に限定されることはなく、電力線通信によって照明機器の調光、調色、点灯、及び消灯の少なくとも一つを制御できればよい。
【００７１】
上記実施形態では電力線に照明システムのみが接続されているが、例えば図８に示すように空気調和機８００及び監視カメラ９００が電力線３００に接続されていても良い。空気調和機８００は広帯域電力線通信を行う照明機器以外のスレーブ機器の一例である。空気調和機８００を制御する信号が電力線通信によって空気調和機８００に送られたり、空気調和機８００の使用状況を示す管理データが電力線通信によってマスター機器（送受信機器１００）に送られたりする。監視カメラ９００も広帯域電力線通信を行う照明機器以外のスレーブ機器の一例である。監視カメラ９００を制御する信号が電力線通信によって監視カメラ９００に送られたり、監視カメラ９００によって撮影された映像のデータが電力線通信によってマスター機器（送受信機器１００）に送られたりする。
【００７２】
このように、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７３】
本発明は、例えば家屋内の照明設備または施設内の照明設備などに適用することができる。
【符号の説明】
【００７４】
１００  送受信機器
１１  有線ＬＡＮインターフェース
１２  送受信部
２００、２００’  ＬＥＤ照明機器
２１  インピーダンスアッパー
２２  ＡＣ／ＤＣコンバータ
２３、２８  ＤＣ／ＤＣコンバータ
２４  ＬＥＤドライバ
２５  ＬＥＤ群
２６  ＡＣ重畳部
２７  送受信部
２８  シャーシ
２９  シャーシカバー
２７１  アッテネータ
２７２  フィルタ
２７３  制御部
２７４  不揮発性メモリ
２７５  発振子
２７６  ラインドライバ
３００  電力線
４００  ルーター
４００’  ゲートウェイ
５００  ＬＡＮケーブル
６００  ＡＣアダプタ
７００  情報機器
８００  空気調和機
９００  監視カメラ
Ｃ１  外周側カラー
Ｃ２  内周側カラー
ＬＮ  電力伝送線
Ｓ１  電力線通信モジュール基板
Ｓ２  中継基板
Ｓ３  主基板
Ｓ４  ＬＥＤ基板
【図１】
2017092012.tif 000003
【図２】
2017092012.tif 000004
【図３】
2017092012.tif 000005
【図４】
2017092012.tif 000006
【図５Ａ】
2017092012.tif 000007
【図５Ｂ】
2017092012.tif 000008
【図５Ｃ】
2017092012.tif 000009
【図６】
2017092012.tif 000010
【図７】
2017092012.tif 000011
【図８】
2017092012.tif 000012